(57)【要約】【課題】本発明は、内視鏡のチャンネルを通して体内に挿入して生体組織の採取を行う際に、目的部位の中央部を確実に採取できる内視鏡用鉗子を提供することを最も主要な特徴とする。【解決手段】操作部１３からの遠隔操作により作動するパンタグラフ機構７によって鉗子カップ３ａ，３ｂが開閉駆動される生検鉗子１において、鉗子カップ３ａ，３ｂの採取組織収容部１６ａ，１６ｂの長さをＬ、鉗子カップ３ａ，３ｂの開き幅をＤとしたとき、Ｌ≧１／２・Ｄに設定したものである。【選択図】    図３
2005021346.tif 000002
【特許請求の範囲】
【請求項１】
一対の鉗子カップと、これらの鉗子カップを開閉駆動するリンク機構とが細長い挿入部の先端部分に配設され、前記挿入部の基端部に手元側の操作部が配設され、前記操作部からの遠隔操作により作動する前記リンク機構によって前記鉗子カップが開閉駆動される内視鏡用鉗子において、
前記鉗子カップの採取組織収容部の長さをＬ、前記鉗子カップの開き幅をＤとしたとき、Ｌ≧１／２・Ｄに設定したことを特徴とする内視鏡用鉗子。
【請求項２】
前記鉗子カップは、先端面に鋭角な傾斜面が形成され、前記傾斜面の傾斜角度をθ、前記鉗子カップの開き角度をαとしたとき、０＜θ≦１／２・αに設定したことを特徴とする請求項１に記載の内視鏡用鉗子。
【発明の詳細な説明】
【０００１】
【発明の属する技術分野】
本発明は、内視鏡の鉗子チャンネルに挿通されて体内から組織標本を採取するための内視鏡用鉗子に関する。
【０００２】
【従来の技術】
従来から内視鏡用鉗子としては、図１１（Ａ）に示すような生検鉗子ａが知られている。この生検鉗子ａには内視鏡のチャンネル内を通して体内に挿入される細長い挿入部ｂの先端部分に一対の鉗子カップｃ１，ｃ２が配設されている。これらの鉗子カップｃ１，ｃ２の基端部は挿入部ｂの先端部分に配設された支持体ｄに支軸ｅを介して回動可能に支持されている。そして、一対の鉗子カップｃ１，ｃ２は手元からの遠隔操作により作動するリンク機構ｆによって開閉駆動されるようになっている。
【０００３】
この生検鉗子ａで、生体組織を採取する際には、図１１（Ａ）〜（Ｃ）に示す操作が行なわれる。すなわち、図１１（Ａ）に示すように一対の鉗子カップｃ１，ｃ２を開いた状態で、鉗子カップｃ１，ｃ２の先端部を生体組織Ｈに押し付ける。続いて、図１１（Ｂ）に示すように一対の鉗子カップｃ１，ｃ２を閉じる。このとき、一対の鉗子カップｃ１，ｃ２が閉じる動作にともない鉗子カップｃ１，ｃ２の端縁部で生体組織Ｈの一部の採取片Ｈ１を切り取りながら鉗子カップｃ１，ｃ２の内部に収容する。そして、図１１（Ｃ）に示すように一対の鉗子カップｃ１，ｃ２間が完全に閉じ、鉗子カップｃ１，ｃ２間の組織収容部に生体組織Ｈの採取片Ｈ１が詰まった状態で、生検鉗子ａが体外に引き抜かれることにより、生体組織Ｈの採取片Ｈ１が採取されるようになっている。
【０００４】
また、特許文献１には、生検鉗子の鉗子カップに高周波電流を通電できるようにしたホットバイオプシー鉗子が示されている。
【０００５】
さらに、特許文献２には、鉗子カップｃ１，ｃ２の後端壁を開放した形状の内視鏡用生検鉗子が示されている。この内視鏡用生検鉗子では、一対の鉗子カップｃ１，ｃ２が閉じられた際に、鉗子カップｃ１，ｃ２内に入りきらない生体組織の標本部分が鉗子カップｃ１，ｃ２の後端壁の開放部分から後方に飛び出すことにより、生体組織の採取量を大きくしたものである。
【０００６】
【特許文献１】
特開平１０−１５１１４３号公報
【０００７】
【特許文献２】
特開２００１−３５３１５６号公報
【０００８】
【発明が解決しようとする課題】
ところで、従来の内視鏡用鉗子では、生体組織を採取する際に一対の鉗子カップｃ１，ｃ２が閉じる動作の最終段階では図１１（Ｂ）に示すように鉗子カップｃ１，ｃ２の組織収容部に採取片Ｈ１が詰まっている。そのため、図１１（Ｃ）に示すように生体組織Ｈの採取痕Ｈ２の中央部分Ｈ３が鉗子カップｃ１，ｃ２の組織収容部に収容できない場合がある。その結果、図１１（Ｄ）に示すように生体組織Ｈの採取痕Ｈ２の中央部分Ｈ３では鉗子カップｃ１，ｃ２に採取されずに残る残量が大きくなり、採取痕Ｈ２の中央部分Ｈ３の生体組織Ｈがほとんど採取できないことがある。
【０００９】
また、特許文献２のように、鉗子カップｃ１，ｃ２の後端壁を開放して、生体組織Ｈの採取量を大きくした場合でも、鉗子カップｃ１，ｃ２の後端壁の開放部分から逃げた生体組織Ｈの採取片Ｈ１が支持体ｄにぶつかるため、同様の現象が起こる場合がある。
【００１０】
本発明は前述した課題に着目してなされたものであり、その目的は、内視鏡のチャンネルを通して体内に挿入して生体組織の採取を行う際に、目的部位の中央部を確実に採取できる内視鏡用鉗子を提供することにある。
【００１１】
【課題を解決するための手段】
請求項１の発明は、一対の鉗子カップと、これらの鉗子カップを開閉駆動するリンク機構とが細長い挿入部の先端部分に配設され、前記挿入部の基端部に手元側の操作部が配設され、前記操作部からの遠隔操作により作動する前記リンク機構によって前記鉗子カップが開閉駆動される内視鏡用鉗子において、前記鉗子カップの採取組織収容部の長さをＬ、前記鉗子カップの開き幅をＤとしたとき、Ｌ≧１／２・Ｄに設定したことを特徴とする内視鏡用鉗子である。
上記課題を解決するために本発明の内視鏡用鉗子、例えば生検鉗子や、ホットバイオプシー鉗子などでは、鉗子カップの採取組織収容部の長さをＬ、鉗子カップの開き幅をＤとしたとき、Ｌ≧１／２・Ｄとしたことにより、内視鏡的に組織採取を行う際に、最後に鉗子カップが閉じる段階においても鉗子カップの採取組織収容部に組織が収容できるようにしている。これにより、目的部位の中央部を確実に採取することができるようにしたものである。
【００１２】
請求項２の発明は、前記鉗子カップは、先端面に鋭角な傾斜面が形成され、前記傾斜面の傾斜角度をθ、前記鉗子カップの開き角度をαとしたとき、０＜θ≦１／２・αに設定したことを特徴とする請求項１に記載の内視鏡用鉗子である。
そして、本請求項２の発明では、鉗子カップの最大開き角度をαは、例えば６０゜以上に設定されている。これにより、鉗子カップを開いた状態で採取すべき生体組織に押し付け、鉗子カップを閉じる際に、鉗子の先端部が生体組織に対して滑ることなく確実に刺入されるようにしたものである。
【００１３】
【発明の実施の形態】
以下、本発明の第１の実施の形態を図１乃至図５（Ａ），（Ｂ）を参照して説明する。図１は本実施の形態の内視鏡用鉗子としての生検鉗子１を示している。この生検鉗子１は、密巻きコイルからなる細長い可撓性シース２を有している。図２に示すように可撓性シース２の先端部には、一対の鉗子カップ（第１の鉗子カップ３ａおよび第２の鉗子カップ３ｂ）を備えた処置部４が取り付けられている。尚、これらの鉗子カップ３ａ，３ｂは同一形状である。
【００１４】
図３に示すように処置部４には、一対の鉗子カップ３ａ，３ｂの基端部を支軸５を介して開閉自在に軸支する支持体６が設けられている。この支持体６内には、鉗子カップ３ａ，３ｂを開閉作動させるためのパンタグラフ機構（リンク機構）７が配設されている。
【００１５】
また、鉗子カップ３ａ，３ｂの基端部には後方延出腕３ａ１，３ｂ１がそれぞれ後方に向けて延設されている。パンタグラフ機構７には、鉗子カップ３ａ，３ｂの後方延出腕３ａ１，３ｂ１と、２つのリンク９ａ，９ｂとが設けられている。一方の第１の鉗子カップ３ａの後方延出腕３ａ１の後端部にはリンク９ｂの先端部が支持ピン８ｂにより枢着されている。さらに、他方の第２の鉗子カップ３ｂの後方延出腕３ｂ１の後端部にはリンク９ａの先端部が支持ピン８ａにより枢着されている。
【００１６】
各リンク９ａ，９ｂの基端部は、連結部材１０の先端部に支軸１１を介して結合されている。連結部材１０の基端部には、操作ワイヤ１２の先端が固着されている。この操作ワイヤ１２は、可撓性シース２内に挿通されている。
【００１７】
また、図１に示すように可撓性シース２の後端には手元側の操作部１３が連結されている。この操作部１３には、略筒状の操作部本体１３ａが設けられている。この操作部本体１３ａの後端には、指かけリング１５が設けられている。さらに、操作部本体１３ａには軸方向に伸びる直線状のスリット１３ｂが形成されている。
【００１８】
また、操作部本体１３ａの外周面にはスライダ１４が軸方向に沿って摺動自在に嵌着されている。このスライダ１４の内部にはスリット１３ｂを通して操作部本体１３ａの内部側に延出される図示しない内側延出部が設けられている。このスライダ１４の内側延出部には操作ワイヤ１２の後端部が固着されている。これにより、スライダ１４を軸方向に沿って進退操作すると、操作ワイヤ１２及びパンタグラフ機構７を介して、鉗子カップ３ａ，３ｂを開閉することができる。
【００１９】
また、図３に示すように、各鉗子カップ３ａ，３ｂには、カップ本体３ａ２，３ｂ２の内側に採取組織を収容する採取組織収容部１６ａ，１６ｂを有している。さらに、各鉗子カップ３ａ，３ｂのカップ本体３ａ２，３ｂ２の外面には基端部側に突起状のストッパ（カップ開き幅規制部）１７ａ，１７ｂが後方に向けて突出されている。そして、各鉗子カップ３ａ，３ｂ間が開いた状態では一方の第１の鉗子カップ３ａのストッパ１７ａは、他方の第２の鉗子カップ３ｂの後方延出腕３ｂ１に、また第２の鉗子カップ３ｂのストッパ１７ｂは、第１の鉗子カップ３ａの後方延出腕３ａ１にそれぞれ当接されるようになっている。これにより、それ以降の鉗子カップ３ａ，３ｂ間の開操作が規制されることにより、鉗子カップ３ａ，３ｂ間の最大の開き幅Ｄが規制されている。ここで、各鉗子カップ３ａ，３ｂの採取組織収容部１６ａ，１６ｂの長さをＬ、ストッパ１７ａ，１７ｂにより規制された鉗子カップ３ａ，３ｂ間の最大開き幅をＤとしたとき、Ｌ≧１／２・Ｄとなるように設定されている。
【００２０】
次に、上記構成の作用について説明する。本実施の形態の構造の生検鉗子１の使用時には、次の操作が行なわれる。即ち、予め生検鉗子１は図１、図２に示すように一対の鉗子カップ３ａ，３ｂ間が閉じられた初期状態で保持されている。この状態で、生検鉗子１を図示しない内視鏡の処置具挿通用チャンネルに挿入する。このとき、内視鏡で観察しながら、その先端の処置部４を目的の検査すべき生体組織Ｈに近づける。
【００２１】
その後、生検鉗子１の操作部１３を操作する。このとき、指かけリング１５に親指を差し入れ、人差し指と中指とでスライダ１４を挟んだ状態にセットする。この状態で、スライダ１４を前進させる。このスライダ１４の前進動作によってパンタグラフ機構７が作動して図３に示すように鉗子カップ３ａ，３ｂが開く。このとき、各鉗子カップ３ａ，３ｂ間が開く動作時には第１の鉗子カップ３ａのストッパ１７ａが、他方の第２の鉗子カップ３ｂの後方延出腕３ｂ１に、また第２の鉗子カップ３ｂのストッパ１７ｂが、第１の鉗子カップ３ａの後方延出腕３ａ１にそれぞれ当接した時点で、各鉗子カップ３ａ，３ｂ間が開く動作が停止される。そのため、それ以降の鉗子カップ３ａ，３ｂ間の開操作が規制されることにより、鉗子カップ３ａ，３ｂ間の最大の開き幅Ｄが規制される。
【００２２】
続いて、図４（Ａ）に示すように、鉗子カップ３ａ，３ｂが最大の開き幅Ｄに開いたままの状態で生検鉗子１を生体組織Ｈに押し付ける。この状態で、スライダ１４を後退させる。このスライダ１４の後退動作により、鉗子カップ３ａ，３ｂを閉じる。このとき、図４（Ｂ）に示すように、一対の鉗子カップ３ａ，３ｂが閉じる動作にともない鉗子カップ３ａ，３ｂの端縁部で生体組織Ｈの一部の採取片Ｈ１を切り取りながら鉗子カップ３ａ，３ｂの採取組織収容部１６ａ，１６ｂ内に収容する。
【００２３】
ここで、各鉗子カップ３ａ，３ｂは採取組織収容部１６ａ，１６ｂの長さをＬ、ストッパ１７ａ，１７ｂにより規制された鉗子カップ３ａ，３ｂ間の最大開き幅をＤとしたとき、Ｌ≧１／２・Ｄとなるように設定されている。そのため、生体組織Ｈの採取作業時に一対の鉗子カップ３ａ，３ｂが閉じる動作の最終段階でも鉗子カップ３ａ，３ｂの端縁部で切り取る生体組織Ｈの採取片Ｈ１を全て採取組織収容部１６ａ，１６ｂに収容できる。
【００２４】
そして、鉗子カップ３ａ，３ｂ間が完全に閉じ、鉗子カップ３ａ，３ｂ間の採取組織収容部１６ａ，１６ｂに生体組織Ｈの採取片Ｈ１が詰まった状態で、図５（Ａ）に示すように、生検鉗子１全体を引っ張り、生体組織Ｈの採取を完了する。
【００２５】
そこで、上記構成のものにあっては次の効果を奏する。すなわち、本実施の形態の生検鉗子１では各鉗子カップ３ａ，３ｂのカップ本体３ａ２，３ｂ２の外面にストッパ１７ａ，１７ｂを設けている。そして、各鉗子カップ３ａ，３ｂ間が開いた状態では第１の鉗子カップ３ａのストッパ１７ａが、第２の鉗子カップ３ｂの後方延出腕３ｂ１に、また第２の鉗子カップ３ｂのストッパ１７ｂが、第１の鉗子カップ３ａの後方延出腕３ａ１にそれぞれ当接されることにより、鉗子カップ３ａ，３ｂ間の最大の開き幅Ｄを規制している。さらに、各鉗子カップ３ａ，３ｂは採取組織収容部１６ａ，１６ｂの長さをＬ、鉗子カップ３ａ，３ｂ間の最大開き幅をＤとしたとき、Ｌ≧１／２・Ｄの関係となるように設定されている。そのため、生体組織Ｈの採取作業時に一対の鉗子カップ３ａ，３ｂが閉じる動作の最終段階でも鉗子カップ３ａ，３ｂの端縁部で切り取る生体組織Ｈの採取片Ｈ１を全て採取組織収容部１６ａ，１６ｂに収容できるので、図５（Ａ），（Ｂ）に示すように目的部位の生体組織Ｈの採取痕Ｈ２の中央部分Ｈ３も確実に採取することができる。その結果、鉗子カップ３ａ，３ｂ間が完全に閉じた際に、従来のように生体組織Ｈの採取痕Ｈ２の中央部分Ｈ３が鉗子カップに採取されずに残ることを防止することができる。
【００２６】
なお、本実施の形態では内視鏡用鉗子として生検鉗子１を例示して説明したが、生検鉗子１に代えて手元からの遠隔操作により作動するリンク機構７によって開閉駆動される一対の鉗子カップ３ａ，３ｂを先端部分に有するホットバイオプシー鉗子であってもよい。
【００２７】
また、図６（Ａ），（Ｂ）および図７は本発明の第２の実施の形態を示すものである。本実施の形態は第１の実施の形態（図１乃至図５（Ａ），（Ｂ）参照）の生検鉗子１の構成を次の通り変更したものである。なお、この変更部分以外は第１の実施の形態の生検鉗子１と同一構成になっており、第１の実施の形態の生検鉗子１と同一部分には同一の符号を付してここではその説明を省略する。
【００２８】
すなわち、本実施の形態の生検鉗子２１では、一対の鉗子カップ３ａ，３ｂの各カップ本体３ａ２，３ｂ２の後端部にそれぞれ後端壁を切り削いだ切り削ぎ部２２ａ，２２ｂが形成されている。そして、図６（Ａ）に示すように各鉗子カップ３ａ，３ｂの先端から、支持体６の先端までの長さをＬ、図７に示すように鉗子カップ３ａ，３ｂ間の最大開き幅をＤとしたとき、Ｌ≧１／２・Ｄとなるように設定されている。これにより、鉗子カップ３ａ，３ｂの採取組織収容部１６ａ，１６ｂを長く設定することができ、より大きく生体組織を採取することができる。
【００２９】
また、本実施の形態の鉗子カップ３ａ，３ｂには、両者の接合端面間に互いに噛み合う鰐歯２３ａ，２３ｂが形成されている。これらの鰐歯２３ａ，２３ｂの噛合部によって生体組織に対し滑りにくい滑り止めが形成されている。
【００３０】
そこで、本実施の形態の生検鉗子２１では各鉗子カップ３ａ，３ｂの先端から、支持体６の先端までの長さをＬ、鉗子カップ３ａ，３ｂ間の最大開き幅をＤとしたとき、Ｌ≧１／２・Ｄとなるように設定したので、第１の実施の形態と同様に生体組織Ｈの採取作業時に一対の鉗子カップ３ａ，３ｂが閉じる動作の最終段階でも鉗子カップ３ａ，３ｂの端縁部で切り取る生体組織Ｈの採取片Ｈ１を全て採取組織収容部１６ａ，１６ｂに収容できる。その結果、目的部位の生体組織Ｈの採取痕Ｈ２の中央部分Ｈ３も確実に採取することができ、鉗子カップ３ａ，３ｂ間が完全に閉じた際に、従来のように生体組織Ｈの採取痕Ｈ２の中央部分Ｈ３が鉗子カップに採取されずに残ることを防止することができる。
【００３１】
また、本実施の形態の生検鉗子２１では一対の鉗子カップ３ａ，３ｂの各カップ本体３ａ２，３ｂ２の後端部に切り削ぎ部２２ａ，２２ｂを形成したので、一対の鉗子カップ３ａ，３ｂが閉じられた際に、鉗子カップ３ａ，３ｂ内の生体組織の一部を鉗子カップ３ａ，３ｂの後端壁の切り削ぎ部２２ａ，２２ｂから後方に飛び出させることができる。そのため、生体組織の採取量を大きくすることができる。
【００３２】
また、図８および図９は本発明の第３の実施の形態を示すものである。本実施の形態は第１の実施の形態（図１乃至図５（Ａ），（Ｂ）参照）の生検鉗子１をホットバイオプシー鉗子３１に代えたものである。
【００３３】
図８に示すようにこのホットバイオプシー鉗子３１は、可撓性シース３２が、密巻きコイル３３と、この密巻きコイル３３の外周を被覆する例えばテトラフルオロエチレン材などから成る絶縁チューブ３４とで形成されている。
【００３４】
可撓性シース３２の先端部には、第１の実施の形態の生検鉗子１と略同様の構成の一対の鉗子カップ（第１の鉗子カップ３ａおよび第２の鉗子カップ３ｂ）を備えた処置部４が取り付けられている。尚、これらの鉗子カップ３ａ，３ｂは同一形状である。さらに、本実施の形態のホットバイオプシー鉗子３１の先端の処置部４の部分は第１の実施の形態の生検鉗子１と同一構成になっており、第１の実施の形態の生検鉗子１と同一部分には同一の符号を付してここではその説明を省略する。
【００３５】
また、図９に示すように可撓性シース３２の基端部にはホットバイオプシー鉗子３１の操作部３５が連結されている。この操作部３５には、略筒状の操作部本体３５ａが設けられている。この操作部本体３５ａの後端には、指かけリング３６が設けられている。さらに、操作部本体３５ａには軸方向に伸びる直線状のスリット３５ｂが形成されている。
【００３６】
また、操作部本体３５ａの外周面にはスライダ３７が軸方向に沿って摺動自在に嵌着されている。このスライダ３７の内部にはスリット３５ｂを通して操作部本体３５ａの内部側に延出される図示しない内側延出部が設けられている。このスライダ３７の内側延出部には操作ワイヤ３８の後端部が固着されている。この操作ワイヤ３８の先端部は連結部材１０の基端部に固着されている。これにより、スライダ３７を軸方向に沿って進退操作すると、操作ワイヤ３８及びパンタグラフ機構７を介して鉗子カップ３ａ，３ｂを開閉することができる。
【００３７】
また、操作用スライダ３７には、接続コネクタ部３９が突設されている。この接続コネクタ部３９には、高周波発生装置（図示せず）に通じる図示しないコードが電気的に接続される。そして、操作ワイヤ３８の基端部は、操作用スライダ３７に連結される一方、接続コネクタ部３９に電気的に接続され、鉗子カップ３ａ，３ｂに通電可能になっている。
【００３８】
鉗子カップ３ａ，３ｂは、第１の実施の形態と同様に、採取組織を収容する採取組織収容部１６ａ，１６ｂを有し、採取組織収容部１６ａ，１６ｂの長さをＬ、鉗子カップ３ａ，３ｂの開き幅をＤとしたとき、Ｌ≧１／２・Ｄとなるように設定されている。
【００３９】
また、鉗子カップ３ａ，３ｂの先端面には、鋭角な傾斜面３ａ３，３ｂ３が形成されている。図８に示すように先端面の傾斜面３ａ３，３ｂ３の傾斜角度をθ、鉗子カップ３ａ，３ｂの最大開き角度をαとしたとき、０＜θ≦１／２・αとなるように設定されている。なお、αは、例えば６０゜以上に設定されている。
【００４０】
これにより、鉗子カップ３ａ，３ｂを開いた状態で採取すべき生体組織Ｈに押し付け、鉗子カップ３ａ，３ｂを閉じる際に、鉗子カップ３ａ，３ｂの先端面の傾斜面３ａ３，３ｂ３が生体組織Ｈに対して滑ることなく確実に刺入される。
【００４１】
そこで、本実施の形態のホットバイオプシー鉗子３１では各鉗子カップ３ａ，３ｂの採取組織収容部１６ａ，１６ｂの長さをＬ、鉗子カップ３ａ，３ｂ間の最大開き幅をＤとしたとき、Ｌ≧１／２・Ｄとなるように設定したので、第１の実施の形態と同様に生体組織Ｈの採取作業時に一対の鉗子カップ３ａ，３ｂが閉じる動作の最終段階でも鉗子カップ３ａ，３ｂの端縁部で切り取る生体組織Ｈの採取片Ｈ１を全て採取組織収容部１６ａ，１６ｂに収容できる。その結果、目的部位の生体組織Ｈの採取痕Ｈ２の中央部分Ｈ３も確実に採取することができ、鉗子カップ３ａ，３ｂ間が完全に閉じた際に、従来のように生体組織Ｈの採取痕Ｈ２の中央部分Ｈ３が鉗子カップに採取されずに残ることを防止することができる。
【００４２】
また、本実施の形態のホットバイオプシー鉗子３１では特に、生体組織Ｈを採取する際、高周波電流を通電して行うことが第１の実施の形態と異なる。
【００４３】
また、図１０は本発明の第４の実施の形態を示すものである。本実施の形態は第３の実施の形態（図８および図９参照）のホットバイオプシー鉗子３１の構成を次の通り変更したものである。なお、この変更部分以外は第３の実施の形態のホットバイオプシー鉗子３１と同一構成になっており、第３の実施の形態のホットバイオプシー鉗子３１と同一部分には同一の符号を付してここではその説明を省略する。
【００４４】
すなわち、本実施の形態のホットバイオプシー鉗子３１は、一対の鉗子カップ３ａ，３ｂのうちの一方、例えば第２の鉗子カップ３ｂが、支持体６と一体に形成され、固定型の鉗子カップとなっている。そのため、他方の第１の鉗子カップ３ａのみが開閉する、いわゆる片開き型の鉗子形態を有している。そして、第１の実施の形態と同様、採取組織を収容する採取組織収容部１６ａ，１６ｂの長さをＬ、一対の鉗子カップ３ａ，３ｂの開き幅をＤとしたとき、Ｌ≧１／２・Ｄとなるように設定されている。
【００４５】
それ以外の構成、作用は、第３の実施の形態のホットバイオプシー鉗子３１と同じである。そのため、本実施の形態でも第３の実施の形態のホットバイオプシー鉗子３１と同様の効果が得られる。
【００４６】
さらに、本発明は上記実施の形態に限定されるものではなく、本発明の要旨を逸脱しない範囲で種々変形実施できることは勿論である。
次に、本出願の他の特徴的な技術事項を下記の通り付記する。
記
（付記項１）  手元からの遠隔操作により作動するリンク機構によって開閉駆動される一対の鉗子カップを先端部分に有する内視鏡用鉗子において、前記鉗子カップの採取組織収容部の長さをＬ、鉗子カップの開き幅をＤとしたとき、Ｌ≧１／２・Ｄとしたことを特徴とする内視鏡用鉗子。
【００４７】
（付記項２）  前記鉗子カップの先端は鋭角に形成されており、前記鉗子カップ先端の角度を（９０−θ）゜、前記鉗子カップの開き角度をα゜としたとき、０＜θ≦１／２・αとしたことを特徴とする付記項１に記載の内視鏡用鉗子。
【００４８】
（付記項３）  上記鉗子カップに開き角度は６０゜以上であることを特徴とする付記項１記載の内視鏡用鉗子。
【００４９】
（付記項４）  上記鉗子カップは、互いに噛み合う鰐歯を有することを特徴とする付記項１記載の内視鏡用鉗子。
【００５０】
（付記項５）  上記内視鏡用鉗子は、生検鉗子であることを特徴とする付記項１記載の内視鏡用鉗子。
【００５１】
（付記項６）  上記内視鏡用鉗子は、ホットバイオプシー鉗子であることを特徴とする付記項１記載の内視鏡用鉗子。
【００５２】
（付記項７）  上記鉗子カップは、後端壁を切り削いで解放した形状を有し、上記採取組織収容部は、上記鉗子カップ先端から、上記リンク機構を支持する支持体の先端までであることを特徴とする付記項１記載の内視鏡用鉗子。
【００５３】
（付記項１、５、６の目的）  目的部位の中央部を確実に採取する。
【００５４】
（付記項１、５、６の効果）  上記目的の達成。
【００５５】
（付記項２の目的）  鉗子カップの先端部が組織に対して滑ることなく確実に刺入される。
【００５６】
（付記項２の効果）  上記目的の達成。
【００５７】
（付記項３の目的）  より大きく採取する。
【００５８】
（付記項３の効果）  上記目的の達成。
【００５９】
（付記項４の目的）  鉗子カップの滑り防止。
【００６０】
（付記項４の効果）  上記目的の達成。
【００６１】
（付記項７の目的）  採取組織収容部を長く設定できる。
【００６２】
（付記項７の効果）  採取量が多い。
【００６３】
【発明の効果】
本発明によれば、手元からの遠隔操作により作動するリンク機構によって開閉駆動される一対の鉗子カップを先端部分に有する生検鉗子やホットバイオプシー鉗子などの内視鏡用鉗子において、鉗子カップの採取組織収容部の長さをＬ、鉗子カップの開き幅をＤとしたとき、Ｌ≧１／２・Ｄとしたので、
内視鏡的に組織採取を行う際に、最後に鉗子カップが閉じる段階においても鉗子カップの採取組織収容部に組織が収容できるので、目的部位の中央部を確実に採取することができる。
【図面の簡単な説明】
【図１】本発明の第１の実施の形態の生検鉗子を示す斜視図。
【図２】第１の実施の形態の生検鉗子の先端部分を示す側面図。
【図３】第１の実施の形態の生検鉗子の鉗子カップの周辺部分の内部構成を示す要部の縦断面図。
【図４】第１の実施の形態の生検鉗子の作用を説明するもので、（Ａ）は鉗子カップが開いた状態で生検鉗子を生体組織に押し付けた状態を示す縦断面図、（Ｂ）は鉗子カップを閉じて生体組織を鉗子カップの収容部内に収容した状態を示す縦断面図。
【図５】第１の実施の形態の生検鉗子による生体組織の採取状態を示すもので、（Ａ）は鉗子カップを完全に閉じた状態を示す縦断面図、（Ｂ）は生検鉗子による生体組織の採取痕を示す平面図。
【図６】本発明の第２の実施の形態を示すもので、（Ａ）は生検鉗子の先端部分を一部を断面にして示す側面図、（Ｂ）は（Ａ）のＶＩＢ−ＶＩＢ線断面図。
【図７】第２の実施の形態の生検鉗子の鉗子カップが開いた状態を一部を断面にして示す側面図。
【図８】本発明の第３の実施の形態の生検鉗子の鉗子カップの周辺部分の内部構成を示す要部の縦断面図。
【図９】第３の実施の形態の生検鉗子の操作部を示す側面図。
【図１０】本発明の第４の実施の形態の生検鉗子の鉗子カップが開いた状態を示す縦断面図。
【図１１】従来の生検鉗子を示すもので、（Ａ）は一対の鉗子カップを開いた状態で、鉗子カップの先端部を生体組織に押し付けた状態を示す要部の縦断面図、（Ｂ）は一対の鉗子カップが閉じる動作にともない生体組織の一部の採取片を切り取る状態を示す要部の縦断面図、（Ｃ）は一対の鉗子カップ間が完全に閉じた状態を示す要部の縦断面図、（Ｄ）は生体組織の採取痕を示す平面図。
【符号の説明】
２…可撓性シース（挿入部）、３ａ，３ｂ…鉗子カップ、７…パンタグラフ機構（リンク機構）、１３…手元側の操作部、１６ａ，１６ｂ…採取組織収容部、Ｌ…採取組織収容部の長さ、Ｄ…鉗子カップの開き幅。
【図１】
2005021346.tif 000003
【図２】
2005021346.tif 000004
【図３】
2005021346.tif 000005
【図４】
2005021346.tif 000006
【図５】
2005021346.tif 000007
【図６】
2005021346.tif 000008
【図７】
2005021346.tif 000009
【図８】
2005021346.tif 000010
【図９】
2005021346.tif 000011
【図１０】
2005021346.tif 000012
【図１１】
2005021346.tif 000013